(57)【要約】【課題】防犯と安否確認の両方ができる安否確認装置を安価に提供すること。【解決手段】宅内の動きを検知するセンサ２１と、前記センサの入力により異常を検知して宅外へ自動通報する自動通報機２４とを備え、前記センサ２１を、防犯警戒モード時には防犯センサとして、安否確認モード時には安否確認センサとして使用する。【選択図】図１
2006350595.tif 000002
【特許請求の範囲】
【請求項１】
宅内の動きを検知するセンサと、前記センサの入力により異常を検知して宅外へ自動通報する手段を備え、前記センサは、防犯警戒モード時には防犯センサになり、安否確認モード時には安否確認センサになる安否確認装置。
【請求項２】
自動通報するメッセージを防犯警戒モードと安否確認モード時では異なったものにする請求項１に記載の安否確認装置。
【請求項３】
自動通報する通報先を防犯警戒モードと安否確認モード時では異なったものにする請求項１または２に記載の安否確認装置。
【請求項４】
センサを、電池で作動して検知情報を無線で送信するものであり防犯警戒モード時と安否確認モード時で無線送信する時間を変える請求項１から３のいずれか１項に記載の安否確認装置。
【請求項５】
センサに音発生手段を備え、防犯警戒モード時と安否確認モード時で発生する音を変える請求項１から４のいずれか１項に記載の安否確認装置。
【請求項６】
センサは開閉を検知するものである請求項１から５のいずれか１項に記載の安否確認装置。
【請求項７】
センサは人感センサである請求項１から５のいずれか１項に記載の安否確認装置。
【発明の詳細な説明】
【技術分野】
【０００１】
本発明は、宅内の独居老人などの動きを検出し、異常の時に自動的に宅外に報知する安否確認装置に関する。
【背景技術】
【０００２】
従来の安否確認装置は宅内の生活者の異常をセンサで検知して電話回線などを通じて外部へ自動的に緊急通報するものであった（例えば特許文献１参照）。図３は、前記特許文献１に記載された従来の安否確認装置の構成図である。対象者１を赤外線画像センサでとらえ、あらかじめ設定された時間以上静止してしていると異常検出手段２は出力を出し、呼出手段３は緊急呼出音を発する。この緊急呼出音が鳴った時に対象者が確認手段４に声などで返事を返さないと、通報手段５は電話回線６を通して外部装置７に通報するものである。
【０００３】
また、宅内のガスの検針や異常と共に、侵入や在床のセキュリティ情報を集中監視し、セキュリティ情報をインターネットを通じて電子メールとして携帯電話に通知する装置もあった（例えば特許文献２参照）。図４は前記特許文献２に記載された情報通知装置の構成図である。宅内にあり侵入などの異常を検知する異常検知装置８が異常を検知すると無線子機９から電波を送信する。また在床センサ１０が寝返りをうたないなど異常を検知すると無線子機１１から電波を送信する。その家にある無線親機１２が電波を受信すると、回線網制御装置１３が電話回線１４を通じて電子メールサービスを行うセキュリティセンター１５にあるサーバー１６に侵入情報を伝える。サーバー１６は利用者に伝える電子メールを作成・送信し、電子メールはインターネット１７に接続された携帯電話基地局１８から利用者の携帯電話１９に電子メールを送信して家の異常事態を通知する。
【特許文献１】特開平９−２８６８１号公報（図１）
【特許文献２】特開２００３−１７４５２４号公報（図１）
【発明の開示】
【発明が解決しようとする課題】
【０００４】
しかしながら、前記従来の特許文献１の安否確認装置は安否確認はできるが防犯の確認はできない。また前記特許文献２の構成では無線親機と回線網制御装置は一つであるが、安否確認の在床センサと防犯センサはそれぞれ別のものを用意するため高価であった。
【０００５】
本発明は、前記従来の課題を解決するもので、防犯と安否確認の両方ができる安否確認装置を安価に提供することを目的とする。
【課題を解決するための手段】
【０００６】
上記課題を解決するために本発明は、同じセンサを防犯警戒モード時は防犯センサとして、安否確認モード時は安否確認センサとして使用するものである。
【発明の効果】
【０００７】
本発明の安否確認装置は、安価に防犯警戒と安否確認の両方ができる。
【発明を実施するための最良の形態】
【０００８】
第１の発明は、宅内の動きを検知するセンサと、前記センサの入力により異常を検知して宅外へ自動通報する手段を備え、前記センサは、防犯警戒モード時には防犯センサになり、安否確認モード時には安否確認センサになることで、防犯と安否確認の両方の機能を安価に実現できる安否確認装置とすることができる。
【０００９】
第２の発明は、特に、第１の発明の自動通報するメッセージを防犯警戒モードと安否確認モード時では異なったものにすることにより、同一のセンサからの入力でも動作モードら合った通報メッセージを送ることができる。
【００１０】
第３の発明は、特に、第１の発明または第２の発明の自動通報する通報先を防犯警戒モードと安否確認モード時では異なったものにすることにより、例えば外出中に侵入があった時にはその家の住人の携帯電話に通報し、在宅中に安否確認ができなくなった時には近所に住む親戚に通報するなど、状況にあった通報先に通報できる。
【００１１】
第４の発明は、特に、第１から第３のいずれか１つの発明の宅内の動きを検知するセンサを、電池で作動して検知情報を無線で送信するもであり防犯警戒モード時と安否確認モード時で無線送信する時間を変えるようにすることにより、防犯警戒モード時は動きを検知するとすぐに無線送信し、安否確認モード時は適当な時間検知してから無線送信することで電池寿命を長くすることができる。
【００１２】
第５の発明は、特に、第１から第４のいずれか１つの発明のセンサに音発生手段を備え、防犯警戒モード時と安否確認モード時で発生する音を変えるもので、防犯警戒モード時は宅内の動きを検知すると警報音を発して侵入者を威嚇し、安否確認モード時は小さな音で居住者にセンサが正常に作動していることを示すことができる。
【００１３】
第６の発明は、特に、第１から第５のいずれか１つの発明のセンサは開閉を検知するものとすることにより、同じセンサでトイレや浴室の扉、冷蔵庫の扉など通常の在宅時は動きがないと異常であり、外出時に動きがあると異常なものを検知することができる。
【００１４】
第７の発明は、特に、第１から第５のいずれか１つの発明のセンサは人感センサとすることにより、同じセンサで廊下、居間や寝室など通常の在宅時は動きないと異常であり、外出時に動きがあると異常なものを検知することができる。
【００１５】
以下、本発明の実施の形態について、図面を参照しながら説明する。なお、実施の形態によって本発明が限定されるものではない。
【００１６】
（実施の形態１）
図１は、本発明の第１の実施の形態における安否確認装置の構成図である。家のトイレにはトイレの扉２０の開閉を検知して無線送信するセンサ２１が取り付けられている。扉に磁石２２を貼り付け、磁石２２と対向する扉枠に磁力で閉じるリードスイッチ２３が設置されトイレの扉の開閉が検知される度に電波を送信するものである。電波は自動通報機２４が受信する。自動通報機２４にはモードを設定するボタンがあり、利用者が在宅している時は安否確認ボタン２５を押して安否確認モードにしおくと、予め設定された時間、例えば２４時間一度もトイレの扉２０の開閉を検知されないと電話回線２６を通して外部装置２７に電話をかけ、「こちらは○○です。安否が確認できません。」というメッセージを流す。外部装置は、近所の親戚の家の電話や、契約しているセキュリティセンターの電話であり、利用者の家に電話をかけたり、家に出向いたりして状態を確認する。
【００１７】
外出するときは外出警戒ボタン２８を押して防犯警戒モードにして出かける。家に不在であるにもかかわらずトイレの扉が開くということは、トイレの窓から侵入した人が扉を開けたものと考えられ、電話回線２６を通して利用者の携帯電話２９に「こちらは○○です。侵入です。」というメッセージを流す。
【００１８】
センサを取り付ける位置は、冷蔵庫の扉や、浴室の扉、玄関の扉、窓であったり、複数
取り付けることもできる。センサの数が増えると在宅の時には利用者の動きがより頻繁に検知できることになり、安否が確認できないと異常を通知するまでの設定時間を短くすることができる。また、センサの数が増えると外出警戒モード時には侵入者の侵入ルートや移動範囲に対しより細かく対応できる。
【００１９】
（実施の形態２）
図２は、本発明の第２の実施の形態における安否確認装置の構成図である。体温を持った人間が出す赤外線を検出する焦電センサを使い、出力の変化で人の動きを検知して無線で送信する人感センサ３０を家の廊下に設置しておく、前記人感センサ３０の無線は送受信のできる双方向型で、自動通報機３１は安否確認ボタン２５が押されると安否確認モードであることが、外出警戒ボタン２８が押されると防犯警戒モードであることが人感センサに送信されて、人感センサ３０は現在どのモードにあるかを記憶しておく。センサは施工が容易なように電池駆動になっている。
【００２０】
人感センサ３０には音発生手段３２が備えてあり、防犯警戒モード時は人を検知すると直ちに侵入を無線で自動通報機３１に送信すると共に大きな警報音を鳴らして侵入者を威嚇する。一方、安否確認モード時は人を検知すると「ピッ」という小さな音をさせてセンサが正常に作動していることを利用人に示すだけで、無線の送信は１時間に１度、過去１時間に人を検知した時のみ行う。必要以上に音を鳴らしたり、無線の電波を送信したりしないため、電池寿命を長くすることができる。
【産業上の利用可能性】
【００２１】
以上のように、本発明にかかる安否確認装置は、同じセンサを防犯警戒と安否確認の両方に用いることにより、両方の機能を持った安否確認装置を安価に構成できる。
【図面の簡単な説明】
【００２２】
【図１】本発明の実施の形態１の安否確認装置の構成図
【図２】本発明の実施の形態２の安否確認装置の構成図
【図３】従来の安否確認装置の構成図
【図４】従来の装置の構成図
【符号の説明】
【００２３】
２１  センサ
２４  自動通報機
２５  安否確認ボタン
２８  外出警戒ボタン
【図１】
2006350595.tif 000003
【図２】
2006350595.tif 000004
【図３】
2006350595.tif 000005
【図４】
2006350595.tif 000006